【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
仮想点とドットとが一対一に関連付けられ、ドットを、当該ドットに関連付けられた仮想点からずれた位置に配置することによって付加情報を表現する画像形成装置であって、
前記仮想点と、当該仮想点に隣接する仮想点との間隔を決定すると共に、前記ドットのサイズを決定する手段と、
前記決定された間隔を持つ各仮想点に対して、前記決定されたサイズのドットを配置する手段を備え、
前記決定する手段は、予め定められた複数の間隔の中から前記間隔を決定し、当該決定された間隔に対応するサイズに、前記ドットのサイズを決定することができることを特徴とする画像形成装置。
【請求項２】
付加情報に応じた位置にドット群を配置する画像形成装置であって、
前記配置されたドット群に含まれる各ドットの位置と、前記各ドットに関連付けられた各仮想点とに基づいて前記付加情報は表現されており、
前記仮想点と、当該仮想点に隣接する仮想点との間隔を決定すると共に、前記ドットのサイズを決定する手段と、
前記決定された間隔を持つ各仮想点に対して、前記決定されたサイズのドットを配置する手段を備え、
前記決定する手段は、予め定められた複数の間隔の中から前記間隔を決定し、当該決定された間隔に対応するサイズに、前記ドットのサイズを決定することができることを特徴とする画像形成装置。
【請求項３】
仮想点とドットとが一対一に関連付けられ、ドットを、当該ドットに関連付けられた仮想点からずれた位置に配置することで、付加情報を表現する画像形成装置であって、
前記仮想点と、当該仮想点に隣接する仮想点との間隔をｎ通りに設定する手段と、
前記ドットのサイズをｍ通りに設定する手段と、
前記間隔を設定する手段で設定されたｎ通りの仮想点からずらして、前記ドットのサイズを設定する手段で設定されたｍ通りのサイズのドットを配置することで、ｍ×ｎ通りのドット群を配置する手段と、
前記配置する手段で配置されたｍ×ｎ通りのドット群の中から、認識可能なドット群を判定し、当該認識可能と判定したドット群のうちの一つを、前記付加情報を表現する際に用いる手段
を備えることを特徴とする画像形成装置。
【請求項４】
前記認識可能なドット群を判定する手段は、
前記認識可能と判定したドット群の中で、単位面積当たりの面積比が最も小さいドット群を、前記付加情報を表現する際に用いることを特徴とする請求項３に記載の画像形成装置。
【請求項５】
付加情報に応じた位置にドット群を配置する画像形成装置であって、
前記配置されたドット群に含まれる各ドットの位置と、前記各ドットに関連付けられた各仮想点とに基づいて前記付加情報は表現されており、
前記仮想点と、当該仮想点に隣接する仮想点との間隔をｎ通りに設定する手段と、
前記ドットのサイズをｍ通りに設定する手段と、
前記間隔を設定する手段で設定されたｎ通りの仮想点からずらして、前記ドットのサイズを設定する手段で設定されたｍ通りのサイズのドットを配置することで、ｍ×ｎ通りのドット群を配置する手段と、
前記配置する手段で配置されたｍ×ｎ通りのドット群の中から、認識可能なドット群を判定し、当該認識可能と判定したドット群のうちの一つを、前記付加情報を表現する際に用いる手段と
を備えることを特徴とする画像形成装置。
【請求項６】
前記認識可能なドット群を判定する手段は、
前記認識可能と判定したドット群の中で、単位面積当たりの面積比が最も小さいドット群を、前記付加情報を表現する際に用いることを特徴とする請求項５に記載の画像形成装置。
【請求項７】
仮想点とドットとが一対一に関連付けられ、ドットを、当該ドットに関連付けられた仮想点からずれた位置に配置することによって付加情報を表現する画像形成方法であって、
前記仮想点と、当該仮想点に隣接する仮想点との間隔を決定すると共に、前記ドットのサイズを決定するステップと、
前記決定された間隔を持つ各仮想点に対して、前記決定されたサイズのドットを配置するステップを含み、
前記決定するステップは、予め定められた複数の間隔の中から前記間隔を決定し、当該決定される間隔に対応するサイズに、前記ドットのサイズを決定することができることを特徴とする画像形成方法。
【請求項８】
付加情報に応じた位置にドット群を配置する画像形成方法であって、
前記配置されたドット群に含まれる各ドットの位置と、前記各ドットに関連付けられた各仮想点とに基づいて前記付加情報は表現されており、
前記仮想点と、当該仮想点に隣接する仮想点との間隔を決定すると共に、前記ドットのサイズを決定するステップと、
前記決定された間隔を持つ各仮想点に対して、前記決定されたサイズのドットを配置するステップを含み、
前記決定するステップは、予め定められた複数の間隔の中から前記間隔を決定し、当該決定される間隔に対応するサイズに、前記ドットのサイズを決定することができることを特徴とする画像形成方法。
【請求項９】
仮想点とドットとが一対一に関連付けられ、ドットを、当該ドットに関連付けられた仮想点からずれた位置に配置することで、付加情報を表現する画像形成方法であって、
前記仮想点と、当該仮想点に隣接する仮想点との間隔をｎ通りに設定するステップと、
前記ドットのサイズをｍ通りに設定するステップと、
前記間隔を設定するステップで設定されたｎ通りの仮想点からずらして、前記ドットのサイズを設定するステップで設定されたｍ通りのサイズのドットを配置することで、ｍ×ｎ通りのドット群を配置するステップと、
前記配置するステップで配置されたｍ×ｎ通りのドット群の中から、認識可能なドット群を判定し、当該認識可能と判定したドット群のうちの一つを、前記付加情報を表現する際に用いるステップ
を含むことを特徴とする画像形成方法。
【請求項１０】
前記認識可能なドット群を判定するステップは、
前記認識可能と判定したドット群の中で、単位面積当たりの面積比が最も小さいドット群を、前記付加情報を表現する際に用いることを特徴とする請求項９に記載の画像形成方法。
【請求項１１】
付加情報に応じた位置にドット群を配置する画像形成方法であって、
前記配置されたドット群に含まれる各ドットの位置と、前記各ドットに関連付けられた各仮想点とに基づいて前記付加情報は表現されており、
前記仮想点と、当該仮想点に隣接する仮想点との間隔をｎ通りに設定するステップと、
前記ドットのサイズをｍ通りに設定するステップと、
前記間隔を設定するステップで設定されたｎ通りの仮想点からずらして、前記ドットのサイズを設定するステップで設定されたｍ通りのサイズのドットを配置することで、ｍ×ｎ通りのドット群を配置するステップと、
前記配置するステップで配置されたｍ×ｎ通りのドット群の中から、認識可能なドット群を判定し、当該認識可能と判定したドット群のうちの一つを、前記付加情報を表現する際に用いるステップ
を含むことを特徴とする画像形成方法。
【請求項１２】
前記認識可能なドット群を判定するステップは、
前記認識可能と判定したドット群の中で、単位面積当たりの面積比が最も小さいドット群を、前記付加情報を表現する際に用いることを特徴とする請求項１１に記載の画像形成方法。
【請求項１３】
コンピュータに、請求項７〜１２のいずれか１項に記載の方法を実行させるためのプログラムを記録したコンピュータ読み取り可能な記録媒体。
【請求項１４】
コンピュータに、請求項７〜１２のいずれか１項に記載の方法を実行させるためのプログラム。
【手続補正２】
【補正対象書類名】明細書
【補正対象項目名】０００９
【補正方法】変更
【補正の内容】
【０００９】
本発明の画像形成装置は、仮想点とドットとが一対一に関連付けられ、ドットを、当該ドットに関連付けられた仮想点からずれた位置に配置することによって付加情報を表現する画像形成装置であって、前記仮想点と、当該仮想点に隣接する仮想点との間隔を決定すると共に、前記ドットのサイズを決定する手段と、前記決定された間隔を持つ各仮想点に対して、前記決定されたサイズのドットを配置する手段を備え、前記決定する手段は、予め定められた複数の間隔の中から前記間隔を決定し、当該決定された間隔に対応するサイズに、前記ドットのサイズを決定することができることを特徴とする。
【手続補正３】
【補正対象書類名】明細書
【補正対象項目名】００１０
【補正方法】変更
【補正の内容】
【００１０】
本発明の画像形成装置は、付加情報に応じた位置にドット群を配置する画像形成装置であって、前記配置されたドット群に含まれる各ドットの位置と、前記各ドットに関連付けられた各仮想点とに基づいて前記付加情報は表現されており、前記仮想点と、当該仮想点に隣接する仮想点との間隔を決定すると共に、前記ドットのサイズを決定する手段と、前記決定された間隔を持つ各仮想点に対して、前記決定されたサイズのドットを配置する手段を備え、前記決定する手段は、予め定められた複数の間隔の中から前記間隔を決定し、当該決定された間隔に対応するサイズに、前記ドットのサイズを決定することができることを特徴とする。
【手続補正４】
【補正対象書類名】明細書
【補正対象項目名】００１３
【補正方法】変更
【補正の内容】
【００１３】
本発明の画像形成方法は、仮想点とドットとが一対一に関連付けられ、ドットを、当該ドットに関連付けられた仮想点からずれた位置に配置することによって付加情報を表現する画像形成方法であって、前記仮想点と、当該仮想点に隣接する仮想点との間隔を決定すると共に、前記ドットのサイズを決定するステップと、前記決定された間隔を持つ各仮想点に対して、前記決定されたサイズのドットを配置するステップを含み、前記決定するステップは、予め定められた複数の間隔の中から前記間隔を決定し、当該決定される間隔に対応するサイズに、前記ドットのサイズを決定することができることを特徴とする。
【手続補正５】
【補正対象書類名】明細書
【補正対象項目名】００１４
【補正方法】変更
【補正の内容】
【００１４】
本発明の画像形成方法は、付加情報に応じた位置にドット群を配置する画像形成方法であって、前記配置されたドット群に含まれる各ドットの位置と、前記各ドットに関連付けられた各仮想点とに基づいて前記付加情報は表現されており、前記仮想点と、当該仮想点に隣接する仮想点との間隔を決定すると共に、前記ドットのサイズを決定するステップと、前記決定された間隔を持つ各仮想点に対して、前記決定されたサイズのドットを配置するステップを含み、前記決定するステップは、予め定められた複数の間隔の中から前記間隔を決定し、当該決定される間隔に対応するサイズに、前記ドットのサイズを決定することができることを特徴とする。